(57)【要約】【課題】柱取り巻き型ディスプレー用筒状構造体の組み立てからパネルの差し替えなどの全ての作業をドライバーなどの治具を用いることなく簡単に効率良く行なえるようにする。【解決手段】ベースプレート１の連結軸３と中間連結材９の連結軸１０を孔部６に差し込むことにより下側コーナー材５が支持され、前記中間連結材９の連結軸１３と上部連結材１７の連結軸１８を孔部１６に差し込むことにより上側コーナー材１２が支持されるように構成し、柱取り巻き型ディスプレー用筒状構造体の４面において左右の下側コーナー材５の差し込み溝７に左右両端部が差し込まれて支持され下側コーナー材間の開口を閉じる壁面パネル８と、中間連結材９のレール部１４と上部連結材１７のレール部１９に側方から差し込まれる装飾用パネル２０とを備える。【選択図】    図１
2006296899.tif 000002
【特許請求の範囲】
【請求項１】
建物内の断面が四角形の柱を取り巻く位置で建物の床面上に並べられ長さ方向両端近傍に連結軸が立設されたベースプレートと、平面形状がＬ型で両側部に前記連結軸を差し込むための孔部が上下方向全長に亘って形成された下側コーナー材と、柱取り巻き型ディスプレー用筒状構造体の４面において左右の下側コーナー材間の開口を閉じる差し込み式の壁面パネルと、壁面パネルの上端を覆うように設けられ下側コーナー材の孔部に差し込まれる連結軸が長さ方向両端近傍に下向きに突設されるとともに長さ方向両端近傍に連結軸が上向きに立設されて前記柱の高さ方向中間部を取り巻く中間連結材と、平面形状がＬ型で両側部に前記中間連結材の上向きの連結軸を差し込むための孔部が上下方向全長に亘って形成された上側コーナー材と、上側コーナー材の孔部に差し込まれる連結軸が長さ方向両端近傍に下向きに突設されて前記柱の上端部を取り巻く上部連結材と、柱取り巻き型ディスプレー用筒状構造体の４面において左右の上側コーナー材間の開口を閉じる差し込み式の装飾用パネルとからなり、前記ベースプレートの連結軸と中間連結材の連結軸を孔部に差し込むことにより下側コーナー材が支持され、前記中間連結材の連結軸と上部連結材の連結軸を孔部に差し込むことにより上側コーナー材が支持されるように構成し、さらに前記下側コーナー材の両側部外面にはディスプレー用部材の係止孔が上下方向に等間隔おきに形成されていることを特徴とする柱取り巻き型ディスプレー用筒状構造体。
【発明の詳細な説明】
【技術分野】
【０００１】
本発明は、建物内の柱を取り巻くように設けられる柱取り巻き型ディスプレー用筒状構造体に関するものである。
【背景技術】
【０００２】
従来のこの種柱取り巻き型ディスプレー用筒状構造体としては、例えば特許文献１に開示されているような、構造支柱の角部に対向するように、上下方向を向く複数の支柱を床面に立設し、隣合う支柱同士を横桟により連結するとともに、前記支柱に穿設された取付孔にブラケットの端部に設けた係止片を係合し、このブラケットに、商品陳列用の棚板を架設するようにした柱巻き陳列パネル装置において、前記支柱に、該支柱における前記構造支柱と反対側の外周面を覆う支柱カバーを、前記取付孔を避けるようにして取り付けた柱巻き陳列パネル装置が知られており、この特許文献１に開示されている柱巻き陳列パネル装置によればパネル板は両側端部がねじ等の固着手段により、パネル取付具の連結片および取付片に固着されるようになっている。また、パネル取付具は構造支柱の角部に位置する前記支柱にねじ止めにより取り付けられている。
【特許文献１】特開平１０−８０３４３号公報
【発明の開示】
【発明が解決しようとする課題】
【０００３】
上記特許文献１に開示されている柱巻き陳列パネル装置の構成では、パネル取付具は構造支柱の角部に位置する前記支柱にねじ止めにより取り付けられるようになっており、またパネル板をねじ等の固着手段によりパネル取付具に取り付けるようになっており、柱巻き陳列パネル装置の組み立てにドライバーなどの治具を用いての作業が必要となり、特にパネル板を差し替えたい場合はドライバーなどの治具を用いてねじ等を脱着しなければならず、作業性が悪いという問題があった。
【０００４】
本発明の目的は、このような課題を解決するものであり、柱取り巻き型ディスプレー用筒状構造体の組み立てからパネルの差し替えなどの全ての作業をドライバーなどの治具を用いることなく簡単に効率良く行なえるようにすることにある。
【課題を解決するための手段】
【０００５】
本発明の請求項１に記載の柱取り巻き型ディスプレー用筒状構造体は、建物内の断面が四角形の柱を取り巻く位置で建物の床面上に並べられ長さ方向両端近傍に連結軸が立設されたベースプレートと、平面形状がＬ型で両側部に前記連結軸を差し込むための孔部が上下方向全長に亘って形成された下側コーナー材と、柱取り巻き型ディスプレー用筒状構造体の４面において左右の下側コーナー材間の開口を閉じる差し込み式の壁面パネルと、壁面パネルの上端を覆うように設けられ下側コーナー材の孔部に差し込まれる連結軸が長さ方向両端近傍に下向きに突設されるとともに長さ方向両端近傍に連結軸が上向きに立設されて前記柱の高さ方向中間部を取り巻く中間連結材と、平面形状がＬ型で両側部に前記中間連結材の上向きの連結軸を差し込むための孔部が上下方向全長に亘って形成された上側コーナー材と、上側コーナー材の孔部に差し込まれる連結軸が長さ方向両端近傍に下向きに突設されて前記柱の上端部を取り巻く上部連結材と、柱取り巻き型ディスプレー用筒状構造体の４面において左右の上側コーナー材間の開口を閉じる差し込み式の装飾用パネルとからなり、前記ベースプレートの連結軸と中間連結材の連結軸を孔部に差し込むことにより下側コーナー材が支持され、前記中間連結材の連結軸と上部連結材の連結軸を孔部に差し込むことにより上側コーナー材が支持されるように構成し、さらに前記下側コーナー材の両側部外面にはディスプレー用部材の係止孔が上下方向に等間隔おきに形成されていることを特徴とする。
【発明の効果】
【０００６】
以上のように、本発明の柱取り巻き型ディスプレー用筒状構造体は、ベースプレートおよび中間連結材と下側コーナー材との連結および中間連結材および上部連結材と上側コーナー材との連結から装飾用パネルまでの全ての組み立て作業をドライバーなどの治具を用いることなく簡単に効率良く行なうことができる。
【発明を実施するための最良の形態】
【０００７】
以下、本発明の一実施の形態を、図１〜図５を用いて具体的に説明する。
図において、１は建物内の断面が四角形の柱２を取り巻く位置で建物の床面上に並べられるベースプレートで、柱２の４つの各辺に沿うように計４枚のベースプレート１が並べられる。各ベースプレート１は長尺状で、長さ方向両端が４５度に成形され、隣合うベースプレート１の４５度に成形された端部同士を当接させることにより柱２の下端を取り巻くベース部が形成されるものである。この各ベースプレート１の長さ方向両端近傍には連結軸３，３が立設され、またこの連結軸３，３間においてベースプレート１上には後述するパネル板を支える当て板４が設けられている。５は平面形状がＬ型の下側コーナー材で、両側部には前記連結軸３を差し込むための孔部６が上下方向全長に亘って形成され、さらにこの孔部６形成部に隣接してパネル板の差し込み溝７が上下方向全長に亘って形成されている。柱２の各角部において下側コーナー材５は隣合うベースプレート１に跨って両側部の前記孔部６に連結軸３を差し込むように上から嵌合させ、起立できるようになっている。なお、前記下側コーナー材５の両側部外面にはディスプレー用のハンガーあるいは棚（図示せず）などを取り付けるために使用されるディスプレー用部材を係止させるための係止孔５ａが上下方向に等間隔おきに形成されている。８は柱取り巻き型ディスプレー用筒状構造体の４面において左右の下側コーナー材５，５の差し込み溝７，７に左右両端部が上から差し込まれて支持され下側コーナー材５，５間の開口を閉じる壁面パネルで、この壁面パネル８の下端背面は前記当て板４に当接して支持されている。９は前記壁面パネル８の上端を覆うように設けられ下側コーナー材５の上端間および後述する上側コーナー材の下端間を繋ぐ中間の長尺状の中間連結材で、この中間連結材９は長さ方向両端が４５度に成形され、隣合う中間連結材９の４５度に成形された端部同士を当接させることにより柱２の高さ方向中間部を取り巻くようになる。なお、中間連結材９は長さ方向両端は必ずしも４５度に成形する必要はなく、隣合う中間連結材９の端部同士が互いに当接するようにすれば良い。この中間連結材９の下面において長さ方向両端近傍には連結軸１０，１０が下向きに突設され、前記柱２の各角部に位置する下側コーナー材５の上端より前記ベースプレート１と同様に連結軸１０が孔部６に差し込まれる。つまり、下側コーナー材５は前記ベースプレート１と中間連結材９とにより挟まれ連結軸３および連結軸１０が孔部６に差し込まれて上下で拘束される。さらに、中間連結材９の下面には前記壁面パネル８の上端背面を当接させて支える当て板１１が設けられ、上面には中間連結材９の長さ方向両端近傍に前記下側コーナー材５の上に載る平面形状がＬ型の上側コーナー材１２を支持する連結軸１３，１３が立設され、この連結軸１３，１３間において中間連結材９の上面には溝状のレール部１４が形成されている。なお、中間連結材９を横から見てレール部１４と連結軸１３，１３は重なった位置に存在せず、レール部１４の終端にはストッパーとしての凸部１５が形成されている。前記上側コーナー材１２は両側部に前記連結軸１３を差し込むための孔部１６が上下方向全長に亘って形成され、柱２の各角部において上側コーナー材１２は隣合う中間連結材９に跨って両側部の前記孔部１６に連結軸１３を差し込むように上から嵌合させ、起立できるようになっている。１７は柱２の各角部に位置する上側コーナー材１２の上端間を繋ぐ長尺状の上部連結材で、この上部連結材１７は長さ方向両端が直角に成形され、隣合う連結材９の端部同士が互いに当接して前記柱２の上端部を取り巻くようになっている。そして、この上部連結材１７の下面には長さ方向両端近傍に連結軸１８，１８が下向きに突設され、前記柱２の各角部に位置する上側コーナー材１２の上端より連結軸１８が孔部１６に差し込まれる。つまり、上側コーナー材１２は前記中間連結材９と上部連結材１７とにより挟まれ連結軸１３および連結軸１８が孔部１６に差し込まれて上下で拘束される。ところで、上部連結材１７の下面には連結軸１８，１８間において溝状のレール部１９が形成されている。上部連結材１７を横から見てレール部１９と連結軸１８，１８は重なった位置に存在していない。そして、前記中間連結材９のレール部１４と上部連結材１７のレール部１９に装飾用パネル２０を支持するのであるが、その際レール部１４および１９の一端より装飾用パネル２０をスライドさせ、装飾用パネル２０を前記ストッパーとしての凸部１５に当てた状態で装飾用パネル２０のセットが完了する。これにより柱取り巻き型ディスプレー用筒状構造体の４面において左右の上側コーナー材１２，１２間の開口が閉じられる。なお、図面に示される装飾用パネル２０は全てが扁平なパネルであるが、内部に照明灯などの照明器具が内蔵されたパネルを適宜用いることも可能であり、レール部１４および１９の位置で取り替え自在となっている。さらに、前記上部連結材１７は柱取り巻き型ディスプレー用筒状構造体の上端に位置するものであり、図示されてはいないが、この上部連結材１７の上には看板用のアクセサリー部品が適宜取り付けられる。
【０００８】
以上述べた図面に示す実施の形態の柱取り巻き型ディスプレー用筒状構造体では下側コーナー材５と上側コーナー材１２では横長さ寸法が同じに作られているが、横長さ寸法が下側コーナー材５よりも大きい上側コーナー材１２を用いることも可能である。その場合、上側コーナー材１２の孔部１６の位置が変わるため、前記中間連結材９の連結軸１３および上部連結材１７の連結軸１８の位置を変える必要がある。
【０００９】
また、本実施の形態の柱取り巻き型ディスプレー用筒状構造体において、前記壁面パネル８および装飾用パネル２０を除くベースプレート１、下側コーナー材５、中間連結材９、上側コーナー材１２、上部連結材１７の各部材は金属製である。
【００１０】
さらに、本実施の形態の柱取り巻き型ディスプレー用筒状構造体では壁面パネル８は下側コーナー材５，５間に上から差し込まれるようになっているが、横から差し込むようにし、また装飾用パネル２０は横から差し込まれるようになっているが、上から差し込むようにすることも可能である。
【図面の簡単な説明】
【００１１】
【図１】本発明の一実施の形態における柱取り巻き型ディスプレー用筒状構造体の全体分解斜視図である。
【図２】同柱取り巻き型ディスプレー用筒状構造体の組み立て途中の状態を示す斜視図である。
【図３】同組み立てられた柱取り巻き型ディスプレー用筒状構造体に装飾用パネルをセットする状態を示す斜視図である。
【図４】同柱取り巻き型ディスプレー用筒状構造体の組み立て完成状態を示す斜視図である。
【図５】図４のＸ−Ｘ矢視図である。
【符号の説明】
【００１２】
１      ベースプレート
２      柱
３      連結軸
４      当て板
５      下側コーナー材
５ａ    係止孔
６      孔部
７      差し込み溝
８      壁面パネル
９      中間連結材
１０      連結軸
１１      当て板
１２      上側コーナー材
１３      連結軸
１４      レール部
１５      凸部
１６      孔部
１７      上部連結材
１８      連結軸
１９      レール部
２０      装飾用パネル
【図１】
2006296899.tif 000003
【図２】
2006296899.tif 000004
【図３】
2006296899.tif 000005
【図４】
2006296899.tif 000006
【図５】
2006296899.tif 000007